(57)【要約】 【課題】  本発明の室内機によれば、本体内に設けられた熱交換器を容易に露呈させて熱交換機の保守点検を効率よく行うことができ、且つドレンパン及びその周辺部に菌類及び、細菌が繁殖することを防止することができる。【解決手段】熱交換器（４）と、熱交換器の下方に配置されて上端部に噛合部（２６）を有するドレンパン（６）と、噛合部と噛み合わされる被噛合部（２４）を下端部に有する本体と（１２）、ドレンパンを支持する支持手段（１４）と、支持手段及びドレンパンを該本体に対して昇降せしめる昇降手段（１６）と、結露水を乾燥させる乾燥手段（１８）とを設ける。ドレンパンが該熱交換器からの結露水を受ける受け位置と該熱交換器の保守点検を行う際の保守点検位置との間を該ドレンパンは昇降手段によって選択的に位置付けられる。ドレンパンを受け位置から保守点検位置に移動せしめて噛合部を被噛合部から離脱することによって熱交換器が露呈せしめられる。【選択図】        図１
2005180736.tif 000002
【特許請求の範囲】
【請求項１】
天井埋込型の室内機にして、
熱交換器と、該熱交換器の下方に配置されて上端部に噛合部を有するドレンパンと、該噛合部と噛み合わされる被噛合部を下端部に有する本体と、該ドレンパンを支持する支持手段と、該支持手段及び該ドレンパンを該本体に対して昇降せしめる昇降手段と、結露水を乾燥させる乾燥手段とを設けており、
該ドレンパンが該熱交換器からの結露水を受ける受け位置と該熱交換器の保守点検を行う際の保守点検位置との間を該ドレンパンは該昇降手段によって選択的に位置付けることができ、
該ドレンパンを該受け位置から該保守点検位置に移動せしめて該噛合部を該被噛合部から離脱することによって該熱交換器が露呈せしめられることを特徴とする室内機。
【請求項２】
室内の温度及び湿度を検出する温度及び湿度センサーを備えた制御手段を有し、該乾燥手段は該ドレンパンの上方に配設されたファンであり、該ファンは空調装置の作動後も継続して該制御手段によって所要時間運転せしめられる請求項１記載の室内機。
【請求項３】
該乾燥手段は該ドレンパンに配設されたヒータである請求項１記載の室内機。
【請求項４】
壁ビルトイン型或いは床置型の室内機にして、
熱交換器と、該熱交換器が配置された位置よりも下方の側面に吸込部を有する本体と、該吸込部の上端側で該本体の第一の案内手段に支持されるドレンパンと、該吸込部の下端側に該本体に対して着脱自在に装着されたフィルター及び吸込グリルと、結露水を乾燥させる乾燥手段とを設けており、
該ドレンパンは略水平に該熱交換器からの結露水を受ける受け位置と該熱交換器の保守点検を行う際の保守点検位置との間を選択的に配置することができ、
該フィルター及び該吸込グリルを該本体から取り外して該ドレンパンを該受け位置から該保守点検位置に移動せしめると該熱交換器が露呈せしめられることを特徴とする室内機。
【請求項５】
室内の温度及び湿度を検出する温度及び湿度センサーを備えた制御手段を有し、該乾燥手段は該ドレンパンの上方に配設されたファンであり、該ファンは空調装置の作動後も継続して該制御手段によって所要時間運転せしめられる請求項４記載の室内機。
【請求項６】
該乾燥手段は該ドレンパンに配設されたヒータである請求項４記載の室内機。
【請求項７】
天井吊型の室内機にして、
熱交換器と、該熱交換器が配置された位置よりも下方の底部に開口部を有する本体と、該開口部に対して開閉可能に取り付けられたドレンパンと、結露水を乾燥させる乾燥手段とを設けられており、
該ドレンパンは該熱交換器からの結露水を受ける受け位置と該熱交換器の保守点検を行う際の保守点検との間を選択的に配置することができ、
該ドレンパンを該受け位置から該保守点検位置に移動せしめると該熱交換器が露呈せしめられることを特徴とする室内機。
【請求項８】
該ドレンパンは支持アームを有し、該本体は該支持アームを摺動自在に下方に案内する第二の案内手段が設けられており、該ドレンパンが該受け位置から該保守点検位置に移動せしめられると、該支持アームが該第二の案内手段に案内されて下方に延びだしてきて該ドレンパンが該本体の下方に迫り出してくる請求項７記載の室内機。
【請求項９】
該本体の該開口部の一端には該ドレンパンが回動可能に取り付けられており、該ドレンパンが該受け位置から該保守点検位置に移動せしめられると、該ドレンパンの被係止部が該開口部の他端に形成られた係止部に係止される請求項７記載の室内機。
【請求項１０】
室内の温度及び湿度を検出する温度及び湿度センサーを備えた制御手段を有し、該乾燥手段は該ドレンパンの方側に配設されたファンであり、該ファンは空調装置の作動後も継続して該制御手段によって所要時間運転せしめられる請求項８又は９記載の室内機。
【請求項１１】
該乾燥手段は該ドレンパンに配設されたヒータである請求項８又は９記載の室内機。
【発明の詳細な説明】
【技術分野】
【０００１】
本発明は空調装置の室内機に関し、更に詳しくは本体に対して着脱自在及び／或いは開閉自在なドレンパンを有する室内機に関する。
【背景技術】
【０００２】
空調装置の室内機は、天井埋込型、天井ビルトイン型、天井吊型、壁ビルトイン型、或いは床置型等に分類される。かような空調装置の室内機は、本体と、本体内に設けられた熱交換器と、熱交換器の下方に配置されているドレンパンとを備えている。例えば、天井吊型の室内機の典型例としては特許文献１を挙げることができる。かかる室内機は、熱交換器が配設された本体と、本体に対して着脱自在なドレンパンとを備えている。本体の下端部にはドレンパンが回動可能に取り付けられる取付部と、ドレンパンを係り止めする係止部とが設けられており、ドレンパンは、取付部に取り付けられた被取付部を回動中心として閉位置と開位置との間を回動せしめられ、閉位置においては本体の係止部に被係止部が係止されるように構成されている。上述された空調装置の室内機では、熱交換器を保守点検を行う際には、ドレンパンを本体から取り外して熱交換器を露呈させて熱交換器の保守点検を行っている。
【特許文献１】特開２０００−２５８０４１号公報
【発明の開示】
【発明が解決しようとする課題】
【０００３】
しかしながら、上述した形態の従来の空調装置の室内機には次のとおりの解決すべき問題が存在する。空調装置の作動中及び作動後に熱交換器及びその周辺部で発生する結露水はドレンパンで受けて、排水管を経て室外に排出、或いはドレンポンプで汲み上げされた後に排水管を経て室外に排出されているが、空調装置の作動後においても結露水によってドレンパン及びその周辺部が長時間に渡って湿っていることにより菌類、細菌及び／或いはウイルス等が繁殖する虞がある。
【０００４】
本発明は上記事実に鑑みてなされたものであり、その主たる技術課題は本体内に設けられた熱交換器を容易に露呈させて熱交換機の保守点検を効率よく行うことができ、且つドレンパン及びその周辺部に菌類、細菌及び／或いはウイルス等が繁殖することを防止することができる、新規且つ改良された室内機を提供することである。
【課題を解決するための手段】
【０００５】
本発明によれば、上記主たる技術課題を解決する室内機として、
天井埋込型の室内機にして、
熱交換器と、該熱交換器の下方に配置されて上端部に噛合部を有するドレンパンと、該噛合部と噛み合わされる被噛合部を下端部に有する本体と、該ドレンパンを支持する支持手段と、該支持手段及び該ドレンパンを該本体に対して昇降せしめる昇降手段と、結露水を乾燥させる乾燥手段とを設けており、
該ドレンパンが該熱交換器からの結露水を受ける受け位置と該熱交換器の保守点検を行う際の保守点検位置との間を該ドレンパンは該昇降手段によって選択的に位置付けることができ、
該ドレンパンを該受け位置から該保守点検位置に移動せしめて該噛合部を該被噛合部から離脱することによって該熱交換器が露呈せしめられることを特徴とする室内機が提供される。
【０００６】
好ましくは、室内の温度及び湿度を検出する温度及び湿度センサーを備えた制御手段を有し、該乾燥手段は該ドレンパンの上方に配設されたファンであり、該ファンは空調装置の作動後も継続して該制御手段によって所要時間運転せしめられる。該乾燥手段は該ドレンパンに配設されたヒータであるのが好適である。
【０００７】
また、本発明によれば、上記主たる技術課題を解決する室内機として、
壁ビルトイン型或いは床置型の室内機にして、
熱交換器と、該熱交換器が配置された位置よりも下方の側面に吸込部を有する本体と、該吸込部の上端側で該本体の第一の案内手段に支持されるドレンパンと、該吸込部の下端側に該本体に対して着脱自在に装着されたフィルター及び吸込グリルと、結露水を乾燥させる乾燥手段とを設けており、
該ドレンパンは略水平に該熱交換器からの結露水を受ける受け位置と該熱交換器の保守点検を行う際の保守点検位置との間を選択的に配置することができ、
該フィルター及び該吸込グリルを該本体から取り外して該ドレンパンを該受け位置から該保守点検位置に移動せしめると該熱交換器が露呈せしめられることを特徴とする室内機が提供される。
【０００８】
好ましくは、温度及び湿度センサーを備えた制御手段を有し、該乾燥手段は該ドレンパンの上方に配設されたファンであり、該ファンは空調装置の作動後も継続して該制御手段によって所要時間運転せしめられる。該乾燥手段は該ドレンパンに配設されたヒータであるのが好適である。
【０００９】
更に、本発明によれば、上記主たる技術課題を解決する室内機として、
天井吊型の室内機にして、
熱交換器と、該熱交換器が配置された位置よりも下方の底部に開口部を有する本体と、該開口部に対して開閉可能に取り付けられたドレンパンと、結露水を乾燥させる乾燥手段とを設けられており、
該ドレンパンは該熱交換器からの結露水を受ける受け位置と該熱交換器の保守点検を行う際の保守点検との間を選択的に配置することができ、
該ドレンパンを該受け位置から該保守点検位置に移動せしめると該熱交換器が露呈せしめられることを特徴とする室内機が提供される。
【００１０】
該ドレンパンは支持アームを有し、該本体は該支持アームを摺動自在に下方に案内する第二の案内手段が設けられており、該ドレンパンが該受け位置から該保守点検位置に移動せしめられると、該支持アームが該第二の案内手段に案内されて下方に延びだしてきて該ドレンパンが該本体の下方に迫り出してくるのが好適である。好ましくは、該本体の該開口部の一端には該ドレンパンが回動可能に取り付けられており、該ドレンパンが該受け位置から該保守点検位置に移動せしめられると、該ドレンパンの被係止部が該開口部の他端に形成られた係止部に係止される。好ましくは、室内の温度及び湿度を検出する温度及び湿度センサーを備えた制御手段を有し、該乾燥手段は該ドレンパンの方側に配設されたファンであり、該ファンは空調装置の作動後も継続して該制御手段によって所要時間運転せしめられる。該乾燥手段は該ドレンパンに配設されたヒータであるのが望ましい。
【発明の効果】
【００１１】
本発明の室内機においては、本体内に設けられた熱交換器を容易に露呈させて熱交換機の保守点検を効率よく行うことができ、且つドレンパン及びその周辺部に菌類、細菌、或いはウィルス等が繁殖することを防止することができる。
【発明を実施するための最良の形態】
【００１２】
以下、添付図面を参照して、本発明にかかる空調装置の室内機の最良実施形態について更に詳述する。
【００１３】
図１には、本発明にかかる室内機の最適実施形態の断面図が図示されている。全体を番号２で示す室内機は、天井埋込型である。かかる天井埋込型の室内機２は、熱交換器４と、熱交換器４の下方に配置されたドレンパン６と、ドレンパン６から結露水を汲み上げるドレンポンプ８と、熱交換器４にエアを供給するためのファン１０と、熱交換器４、ドレンパン６及びドレンポンプ８を収容する、縦断面が略コの字型の本体１２と、本体１２の下方に配置されてドレンパン６を支持する支持手段１４と、支持手段１４及びドレンパン６を本体１２に対して昇降せしめる昇降手段１６と、ドレンパン６及びその周辺部の結露水を乾燥させるヒータ１８でよい乾燥手段とを備えている。熱交換器４及びドレンポンプ８は周知のものでよく、ここで詳述することを省略する。ドレンパン６の中央部にはエアを吸い込むための吸込口２０が設けられており、ドレンパン６の上側には熱交換器４からの結露水を受ける結露水受溝２２が形成されている。また、ドレンパン６の周縁における上端部には、本体１２の周縁の下端部に形成された被噛合部２４に噛み合わされる噛合部２６が設けられている。支持手段１４には中央部に吸込部２８が設けられており、かかる吸込部２８にはフィルター３０及び吸込グリル３２が配設されている。かように構成された支持手段１４はワイヤーで昇降手段１６と連結されており、操作手段（図示していない）で昇降手段１６を操作すると支持手段１４に支持されるドレンパン６は本体１２に対して昇降せしめられて、二点鎖線で示す受け位置、即ちドレンパン６が熱交換器からの結露水を受ける位置と、実線で示す保守点検位置、即ち熱交換器４の保守点検を行う際の位置とに選択的に位置付けられる。図示の実施形態においては、ヒータ１８でよい乾燥手段はドレンパン６の内部に配設されている。かかる乾燥手段は、空調装置の作動後に図示していない制御手段によって始動せしめられ、所定時間ドレンパン６及びその周辺部を加熱して結露水を乾燥し、その後停止させる。これによって、ドレンパン６及びその周辺部に菌類、細菌、或いはウィルス等が繁殖することを防止することができる。図示の実施形態においては、ドレンパン６及びその周辺部の結露水を乾燥させる乾燥手段としてヒータ１８を用いたが、ヒータ１８に代えてドレンパン６の上方に配設されたファン１０を用いてもよい。乾燥手段としてドレンパン６の上方に配設されたファン１０を用いる際においては、室内の温度及び湿度を検出する温度及び湿度センサーを有する制御手段（図示していない）がファン１０を空調装置の作動後も継続して所要時間運転せしめてドレンパン６及びその周辺部の結露水を乾燥し、その後停止させる。これによって、ドレンパン６及びその周辺部に菌類、細菌及び／或いはウイルス等が繁殖することを防止することができる。
【００１４】
上述されたように構成された室内機２において、熱交換機４の保守点検を行う際は、図示していない操作手段を使って昇降手段１６を操作すると、支持手段１４に支持されるドレンパン６が受け位置（二点鎖線で図示する位置）から保守点検位置（実線で図示する位置）に移動され、この際にドレンパン６の噛合部２６が本体１２の被噛合部２４から離脱せしめられて、熱交換器４が露呈せしめられる。本発明の室内機２においては、上述されたように構成されているが故に、本体１２内に設けられた熱交換器４を容易に露呈させて熱交換機４の保守点検を効率よく行うことができる。
できる。
【００１５】
図２には、本発明にかかる室内機の他の最適実施形態の断面図が図示されている。全体を番号１０２で示す室内機は、壁ビルトイン型或いは床置型である。かかる壁ビルトイン型或いは床置型の室内機１０２は、熱交換器４と、熱交換器４が配置された位置よりも下方の側面に吸込部２８を有する本体１２と、吸込部２８の上端側で本体１２の第一の案内手段７に支持される縦断面が略コの字型のドレンパン６と、ドレンパン６の底部に形成された排出部９に装着されドレンパン６で受けられた結露水を室外に排出する排出管２９と、熱交換器４の上方に配置されて熱交換器４にエアを供給するためのファン１０と、吸込部２８の下端側に本体１２に対して着脱自在に装着されるフィルター３０及び吸込グリル３２と、ドレンパン６及びその周辺部の結露水を乾燥させるヒータ１８でよい乾燥手段とを備えている。ドレンパン６は把持部１１を有し、略水平に二点鎖線で示す受け位置、即ちドレンパン６が熱交換器からの結露水を受ける位置と、実線で示す保守点検位置、即ち熱交換器４の保守点検を行う際の位置とに選択的に配置することができる。図示の実施形態においては、ヒータ１８でよい乾燥手段はドレンパン６の底部に配設されている。かかる乾燥手段は、空調装置の作動後に図示していない制御手段によって始動せしめられ、所定時間ドレンパン６及びその周辺部を加熱して結露水を乾燥し、その後停止させる。これによって、ドレンパン６及びその周辺部に菌類、細菌、或いはウィルス等が繁殖することを防止することができる。図示の実施形態においては、ドレンパン６及びその周辺部の結露水を乾燥させる乾燥手段としてヒータ１８を用いたが、ヒータ１８に代えて熱交換器４の上方に配設されたファン１０を用いてもよい。乾燥手段としてドレンパン６の上方に配設されたファン１０を用いる際においては、室内の温度及び湿度を検出する温度及び湿度センサーを有する制御手段（図示していない）がファン１０を空調装置の作動後も継続して所要時間運転せしめてドレンパン６及びその周辺部の結露水を乾燥し、その後停止させる。これによって、ドレンパン６及びその周辺部に菌類、細菌及び／或いはウイルス等が繁殖することを防止することができる。
【００１６】
上述されたように構成された室内機１０２において、熱交換機４の保守点検を行う際は、
本体１２の吸込部２８の下端側に装着されたフィルター３０及び吸込グリル３２を本体１２から取り外して、ドレンパン６の底部に配設された排出部９から排出管２９を離脱せしめ、次いで把持部１１を把持してドレンパン６を受け位置（二点鎖線で図示する位置）から保守点検位置（実線で図示する位置）に略水平に移動すると、熱交換器４が露呈せしめられる。本発明の室内機１０２においては、上述されたように構成されているが故に、本体１２内に設けられた熱交換器４を容易に露呈させて熱交換機４の保守点検を効率よく行うことができる。
【００１７】
図３には、本発明にかかる室内機の更に他の最適実施形態の断面図が図示されている。全体を番号２０２で示す室内機は、天井吊型である。かかる天井吊型の室内機２０２は、熱交換器４と、熱交換器４が配置されている位置よりも左側（図３において）に位置し熱交換器４にエアを供給するファン１０と、ドレンパン６と、ドレンパン６から結露水を汲み上げるドレンポンプ８と、熱交換器４、ドレンポンプ８及びファン１０を収容する本体１２と、ドレンパン６及びその周辺部の結露水を乾燥させるヒータ１８でよい乾燥手段とを備えている。熱交換器４及びドレンポンプ８は周知のものでよく、ここで詳述することを省略する。本体１２における、熱交換器４が配置されている位置よりも左側（図３において）の側面には、吸込口２８が形成されており、本体１２における、熱交換器４が配置されている位置の下方の底部には、開口部５が設けられている。この本体１２の開口部５の一端にはドレンパン６が開閉可能に取り付けられており、かかるドレンパンの左側（図３において）の側面には把持部１１が設けられている。図示の実施形態においては、ドレンパン６は支持アーム１３を有し、本体１２にはドレンパン６の支持アーム１３を摺動自在に下方に案内する第二の案内手段１５が設けられており、ドレンパン６を二点鎖線で示す受け位置、即ちドレンパン６が熱交換器からの結露水を受ける位置から、実線で示す保守点検位置、即ち熱交換器４の保守点検を行う際の位置に移動せしめると、支持アーム１３が第二の案内手段１５に案内されて下方に延び出してきてドレンパン６が本体１２の下方に迫り出してくる。また、図示の実施形態においては、ヒータ１８でよい乾燥手段はドレンパン６の底部に配設されている。かかる乾燥手段は、空調装置の作動後に図示していない制御手段によって始動せしめられ、所定時間ドレンパン６及びその周辺部を加熱して結露水を乾燥し、その後停止させる。これによって、ドレンパン６及びその周辺部に菌類、細菌、或いはウィルス等が繁殖することを防止することができる。図示の実施形態においては、ドレンパン６及びその周辺部の結露水を乾燥させる乾燥手段としてヒータ１８を用いたが、ヒータ１８に代えて熱交換器４の上方に配設されたファン１０を用いてもよい。乾燥手段としてドレンパン６の上方に配設されたファン１０を用いる際においては、室内の温度及び湿度を検出する温度及び湿度センサーを有する制御手段（図示していない）がファン１０を空調装置の作動後も継続して所要時間運転せしめてドレンパン６及びその周辺部の結露水を乾燥し、その後停止させる。これによって、ドレンパン６及びその周辺部に菌類、細菌及び／或いはウイルス等が繁殖することを防止することができる。
【００１８】
上述されたように構成された室内機２０２において、熱交換機４の保守点検を行う際は、
把持部１１を掴んでドレンパン６を二点鎖線で示す受け位置、即ちドレンパン６が熱交換器からの結露水を受ける位置から、実線で示す保守点検位置、即ち熱交換器４の保守点検を行う際の位置に移動せしめると、支持アーム１３が第二の案内手段１５に案内されて下方に延び出してきてドレンパン６が本体１２の下方に迫り出し、熱交換器４が露呈せしめられる。本発明の室内機２０２においては、上述されたように構成されているが故に、本体１２内に設けられた熱交換器４を容易に露呈させて熱交換機４の保守点検を効率よく行うことができる。
【００１９】
図４には、本発明にかかる室内機の更に他の最適実施形態の断面図が図示されている。全体を番号３０２で示す室内機は、天井吊型である。かかる天井吊型の室内機３０２は、熱交換器４と、熱交換器４が配置されている位置よりも左側（図４において）に位置し熱交換器４にエアを供給するファン１０と、ドレンパン６と、ドレンパン６から結露水を汲み上げるドレンポンプ８と、熱交換器４、ドレンポンプ８及びファン１０を収容する本体１２と、ドレンパン６及びその周辺部の結露水を乾燥させるヒータ１８でよい乾燥手段とを備えている。熱交換器４及びドレンポンプ８は周知のものでよく、ここで詳述することを省略する。本体１２における、熱交換器４が配置されている位置よりも右斜め下方（図４において）の底部には、吸込口２８が形成されており、本体１２における、熱交換器４が配置されている位置の下方の底部には、開口部５が設けられている。この本体１２の開口部５の一端にはドレンパン６が開閉可能に取り付けられており、かかるドレンパンの左側（図３において）の側面には把持部１１が設けられている。図示の実施形態においては、ドレンパン６は開口部５の一端に回動可能に取り付けられており、ドレンパン６を実線で示す保守点検位置、即ち熱交換器４の保守点検を行う際の位置から二点鎖線で示す受け位置、即ちドレンパン６が熱交換器からの結露水を受ける位置に移動せしめると、ドレンパン６の被係止部１７が開口部５の他端側に形成された係止部１９に係り止められる。また、図示の実施形態においては、ヒータ１８でよい乾燥手段はドレンパン６の上部に配設されている。かかる乾燥手段は、空調装置の作動後に図示していない制御手段によって始動せしめられ、所定時間ドレンパン６及びその周辺部を加熱して結露水を乾燥し、その後停止させる。これによって、ドレンパン６及びその周辺部に菌類、細菌、或いはウィルス等が繁殖することを防止することができる。図示の実施形態においては、ドレンパン６及びその周辺部の結露水を乾燥させる乾燥手段としてヒータ１８を用いたが、ヒータ１８に代えて熱交換器４の上方に配設されたファン１０を用いてもよい。乾燥手段としてドレンパン６の上方に配設されたファン１０を用いる際においては、室内の温度及び湿度を検出する温度及び湿度センサーを有する制御手段（図示していない）がファン１０を空調装置の作動後も継続して所要時間運転せしめてドレンパン６及びその周辺部の結露水を乾燥し、その後停止させる。これによって、ドレンパン６及びその周辺部に菌類、細菌及び／或いはウイルス等が繁殖することを防止することができる。
【００２０】
上述されたように構成された室内機２０２において、熱交換機４の保守点検を行う際は、把持部１１を掴んでドレンパン６を二点鎖線で示す受け位置、即ちドレンパン６が熱交換器からの結露水を受ける位置から、実線で示す保守点検位置、即ち熱交換器４の保守点検を行う際の位置に移動せしめると、熱交換器４が露呈せしめられる。本発明の室内機２０２においては、上述されたように構成されているが故に、本体１２内に設けられた熱交換器４を容易に露呈させて熱交換機４の保守点検を効率よく行うことができる。
【図面の簡単な説明】
【００２１】
【図１】本発明にかかる室内機の最適実施形態を図示する断面図。
【図２】本発明にかかる室内機の他の最適実施形態を図示する断面図。
【図３】本発明にかかる室内機の更に他の最適実施形態を図示する断面図。
【図４】本発明にかかる室内機の更に他の最適実施形態を図示する断面図。
【符号の説明】
【００２２】
２：天井埋込型の室内機 
４：熱交換器
５：開口部
６：ドレンパン
７：第一の案内手段
１０：ファン
１２：本体
１３：支持アーム
１４：支持手段
１５：第二の案内手段
１６：昇降手段
１７：被係止部
１８：乾燥手段
１９：係止部
２４：被噛合部
２６：噛合部
２８：吸込口
３０：フィルター
３２：吸込グリル
１０２：壁ビルトイン型或いは床置型の室内機
２０２：天井吊型の室内機
３０２：天井吊型の室内機
【図１】
2005180736.tif 000003
【図２】
2005180736.tif 000004
【図３】
2005180736.tif 000005
【図４】
2005180736.tif 000006